(57)【要約】【課題】商品陳列棚の低い位置に陳列棚用表示具が取り付けられる場合であっても、表示内容を見え易くさせ、視認性の低下を防止することが可能な表示板角度変更具及び表示板角度変更具付き陳列棚用表示具を提供する。【解決手段】商品情報を表示可能な表示板部１０２を有する陳列棚用表示具１００と、陳列棚用表示具１００が前縁部分に装着可能に構成された商品陳列棚２との間に取り付け可能に構成され、表示板部１０２の下部を商品陳列棚２の前縁部分に対して離間させることにより該表示板部１０２の傾斜角度を変更するための表示板角度変更具１０であって、表示板部１０２に取付可能に構成された取付部１１と、表示板部１０２の下部を商品陳列棚２の前縁部分に対して離間させることが可能な前後方向の長さを有する支持部１６とを備える。【選択図】図６
0003182241.tif 000002
【実用新案登録請求の範囲】
【請求項１】
商品情報を表示可能な表示板部を有する陳列棚用表示具と、前記陳列棚用表示具が前縁部分に装着可能に構成された商品陳列棚との間に取り付け可能に構成され、前記表示板部の下部を前記商品陳列棚の前縁部分に対して離間させることにより該表示板部の傾斜角度を変更するための表示板角度変更具であって、
前記表示板部に取付可能に構成された取付部と、
前記表示板部の下部を前記商品陳列棚の前縁部分に対して離間させることが可能な前後方向の長さを有する支持部と
を備えることを特徴とする表示板角度変更具。
【請求項２】
前記取付部は、
少なくとも表面及び裏面を有する本体部と、
前記本体部の下端部から表面側に延出かつ上方に向けて屈曲して形成された折り返し部と
を備え、
前記本体部の表面と前記折り返し部との間において前記表示板部の縁部を狭持可能に構成されている
ことを特徴とする請求項１に記載の表示板角度変更具。
【請求項３】
前記支持部は、前記本体部の裏面方向に突出して設けられ、その先端が前記商品陳列棚の前縁部分に当接可能に構成されている
ことを特徴とする請求項２に記載の表示板角度変更具。
【請求項４】
請求項１乃至３いずれか１項に記載の表示板角度変更具と、
商品情報を表示可能な表示板部、商品陳列棚の前縁部分に装着可能な装着部及び前記表示板部の上端部と前記装着部の上端部とを連結する連結部を備え、前記連結部を中心として、前記表示板部が前記装着部に対して離間又は接近する方向に回動可能に構成された陳列棚用表示具とを備える
ことを特徴とする表示板角度変更具付き陳列棚用表示具。
【請求項５】
請求項２又は３に記載の表示板角度変更具と、
商品情報を表示可能な表示板部、商品陳列棚の前縁部分に装着可能な装着部及び前記表示板部の上端部と前記装着部の上端部とを連結する連結部を備え、前記連結部を中心として、前記表示板部が前記装着部に対して離間又は接近する方向に回動可能に構成された陳列棚用表示具と
を備える表示板角度変更具付き陳列棚用表示具であって、
前記陳列棚用表示具の前記表示板部は、横方向に長尺を成すベース板部と、前記ベース板部の下端を上方へ折り返して成る押さえ板部とを有し、前記ベース板部から前記押さえ板部に至る折返部が膨張した形状からなり、
前記表示板角度変更具の前記本体部は、表面から裏面に亘って貫通する略Ｕ字状の切り欠きが形成され、該切り欠きによって囲まれた領域内に表面側に突出する返し状突出部を有し、
前記返し状突出部は、前記本体部の表面と前記折り返し部との間に前記陳列棚用表示具の前記折返部が挿入された際に、該返し状突出部の下端部が前記折返部の上端部と係合する位置に形成されている
ことを特徴とする表示板角度変更具付き陳列棚用表示具。
【請求項６】
前記切り欠きによって囲まれた領域は、前記本体部の表面と前記折り返し部との間に挿入された前記陳列棚用表示具の前記折返部が前記返し状突出部を通過する際に、前記本体部の裏面方向に撓むことが可能な可撓性を有する
ことを特徴とする請求項５に記載の表示板角度変更具付き陳列棚用表示具。
【考案の詳細な説明】
【技術分野】
【０００１】
本考案は、商品陳列棚の前縁部分に装着されて商品情報を表示する陳列棚用表示具に用いられる表示板角度変更具及びこの表示板角度変更具を備える表示板角度変更具付き陳列棚用表示具に関する。
【背景技術】
【０００２】
従来から、商品陳列棚に陳列された商品の名称や価格等の商品情報を買い物客に表示するために、商品情報が記載された商品表示カード（表示媒体）を収容した状態で商品陳列棚の前縁部分に装着されるように構成された陳列棚用表示具が知られている。このような陳列棚用表示具としては、商品表示カードを保持可能な表示板部と、商品陳列棚の前縁部分に装着可能な装着部とを有し、これら表示板部の上端部と装着部の上端部とをヒンジ連結する連結部を中心として、表示板部が装着部に対して回動可能に構成されているものが一般的である（例えば特許文献１参照）。
【先行技術文献】
【特許文献】
【０００３】
【特許文献１】特開２００４−２９８４１９号公報
【考案の概要】
【考案が解決しようとする課題】
【０００４】
しかしながら、従来の陳列棚用表示具は、表示板（商品表示カードの表示面）が垂直若しくは僅かに上方に向いた状態で設置されるものであるため、商品陳列棚の低い位置に陳列棚用表示具が取り付けられる場合には、表示内容が見えにくく、視認性が低下するという問題がある。
【０００５】
そこで、本考案は、商品陳列棚の低い位置に陳列棚用表示具が取り付けられる場合であっても、表示内容を見え易くさせ、視認性の低下を防止することが可能な表示板角度変更具及び表示板角度変更具付き陳列棚用表示具を提供することを目的とする。
【課題を解決するための手段】
【０００６】
以上の目的を達成するため、本考案に係る表示板角度変更具は、商品情報を表示可能な表示板部を有する陳列棚用表示具と、前記陳列棚用表示具が前縁部分に装着可能に構成された商品陳列棚との間に取り付け可能に構成され、前記表示板部の下部を前記商品陳列棚の前縁部分に対して離間させることにより該表示板部の傾斜角度を変更するための表示板角度変更具であって、前記表示板部に取付可能に構成された取付部と、前記表示板部の下部を前記商品陳列棚の前縁部分に対して離間させることが可能な前後方向の長さを有する支持部とを備えることを特徴とする。
【０００７】
本考案に係る表示板角度変更具において、前記取付部は、少なくとも表面及び裏面を有する本体部と、前記本体部の下端部から表面側に延出かつ上方に向けて屈曲して形成された折り返し部とを備え、前記本体部の表面と前記折り返し部との間において前記表示板部の縁部を狭持可能に構成されることが好ましい。また、本考案に係る表示板角度変更具において、前記支持部は、前記本体部の裏面方向に突出して設けられ、その先端が前記商品陳列棚の前縁部分に当接可能に構成されることが好ましい。
【０００８】
また、本考案に係る表示板角度変更具付き陳列棚用表示具は、上記表示板角度変更具と、商品情報を表示可能な表示板部、商品陳列棚の前縁部分に装着可能な装着部及び前記表示板部の上端部と前記装着部の上端部とを連結する連結部を備え、前記連結部を中心として、前記表示板部が前記装着部に対して離間又は接近する方向に回動可能に構成された陳列棚用表示具とを備えることを特徴とする。
【０００９】
本考案に係る表示板角度変更具付き陳列棚用表示具において、前記陳列棚用表示具の前記表示板部は、横方向に長尺を成すベース板部と、前記ベース板部の下端を上方へ折り返して成る押さえ板部とを有し、前記ベース板部から前記押さえ板部に至る折返部が膨張した形状からなり、前記表示板角度変更具の前記本体部は、表面から裏面に亘って貫通する略Ｕ字状の切り欠きが形成され、該切り欠きによって囲まれた領域内に表面側に突出する返し状突出部を有し、前記返し状突出部は、前記本体部の表面と前記折り返し部との間に前記陳列棚用表示具の前記折返部が挿入された際に、該返し状突出部の下端部が前記折返部の上端部と係合する位置に形成されることが好ましい。
【００１０】
また、本考案に係る表示板角度変更具付き陳列棚用表示具において、前記切り欠きによって囲まれた領域は、前記本体部の表面と前記折り返し部との間に挿入された前記陳列棚用表示具の前記折返部が前記返し状突出部を通過する際に、前記本体部の裏面方向に撓むことが可能な可撓性を有することが好ましい。
【考案の効果】
【００１１】
以上のように、本考案によれば、商品陳列棚の低い位置に陳列棚用表示具が取り付けられる場合であっても、表示内容を見え易くさせ、視認性の低下を防止することが可能な表示板角度変更具及び表示板角度変更具付き陳列棚用表示具を提供することができる。
【図面の簡単な説明】
【００１２】
【図１】本考案の一実施形態に係る表示板角度変更具を示す正面斜視図である。
【図２】図１の表示板角度変更具を右側面側から見た状態示す側面図である。
【図３】図２のＡ−Ａ´線に沿った断面図である。
【図４】本考案の一実施形態に係る陳列棚用表示具を一部省略して示す正面斜視図である。
【図５】本実施形態に係る表示板角度変更具を陳列棚用表示具に取り付けた状態を示す断面図である。
【図６】本実施形態に係る表示板角度変更具付き陳列棚用表示具を商品陳列棚の前縁部分に取り付けた状態を示す断面図である。
【図７】本実施形態に係る表示板角度変更具付き陳列棚用表示具の使用状態を示す図である。
【考案を実施するための形態】
【００１３】
次に、本考案の一実施形態に係る表示板角度変更具付き陳列棚用表示具について、図面に基づいて説明する。本実施形態に係る表示板角度変更具付き陳列棚用表示具１は、図５及び図６に示すように、本実施形態に係る陳列棚用表示具１００に、本実施形態に係る表示板角度変更具１０を取り付けることにより構成されている。
【００１４】
表示板角度変更具１０は、図１〜図３，図５及び図６に示すように、陳列棚用表示具１００に取付可能に構成された取付部１１と、取付部１１の後方に突出して設けられた支持部１６と、取付部１１の裏面から支持部１６の下面に亘って設けられた一対の補強リブ部１７（図１中、奥側の補強リブ部は不図示）とを備えている。これら取付部１１、支持部１６及び補強リブ部１７は、プラスチック樹脂等からなり、一体的に形成されている。
【００１５】
取付部１１は、少なくとも表面及び裏面を有する本体部１２と、本体部１２の表面側に設けられた折り返し部１４とを備えている。なお、本実施形態では、本体部１２の一の面（表面）が向く方向を前方、本体部１２の他の面（裏面）が向く方向を後方として説明する。
【００１６】
本体部１２は、図１及び図３に示すように、横方向に長尺な矩形板状に形成されている。本体部１２の略中央部には、表面から裏面に亘って貫通する略Ｕ字状の切り欠き１８が形成されており、この略Ｕ字状の切り欠き１８によって囲まれた領域が、外力により本体部１２の表面方向又は裏面方向に撓むことが可能な可撓片２０として機能するように構成されている。可撓片２０（略Ｕ字状の切り欠き１８によって囲まれた領域内）には、可撓片２０の表面から前方（折り返し部１４の内面に向かう方向）に突出する返し状突出部２２が形成されている。また、可撓片２０（略Ｕ字状の切り欠き１８によって囲まれた領域）は、本体部１２の表面と折り返し部１４との間に陳列棚用表示具１００が挿入され、陳列棚用表示具１００の後述する折返部１０３が返し状突出部２２を通過する際に、本体部１２の裏面方向に撓むことが可能な可撓性を有している。
【００１７】
返し状突出部２２は、例えば図２に示すように、水平面からなる底面２２ａと、該底面２２ａから上方かつ可撓片２０の表面に向けて傾斜する傾斜面２２ｂとを有する断面三角形状に形成されている。この返し状突出部２２は、折り返し部１４の突出方向（前後方向）の長さよりも短い突出方向の長さを有している。また、返し状突出部２２は、本体部１２の表面と折り返し部１４との間に陳列棚用表示具１００の後述する折返部１０３が挿入され、折返部１０３の下端部が折り返し部１４の後述する水平板部１４ａの上面に当接した際に、返し状突出部２２の底面（下端部）２２ａが折返部１０３の上端部と係合する位置に形成されている（例えば図５参照）。
【００１８】
また、本体部１２は、例えば図２に示すように、その上端部に、表面から前方に突出する突出部２４を有している。この突出部２４は、折り返し部１４の突出方向（前後方向）の長さよりも短い突出方向の長さを有しており、概ね、返し状突出部２２の突出方向（前後方向）の長さと同程度の突出方向の長さを有している。
【００１９】
折り返し部１４は、本体部１２の下端縁部全域から前方（表面側）に水平に延出（突出）する水平板部１４ａと、水平板部１４ａの先端縁部全域から上方に向けて垂直に屈曲して延出する垂直板部１４ｂとから形成されている。水平板部１４ａは、返し状突出部２２の突出方向（前後方向）の長さよりも長い突出方向の長さを有している。垂直板部１４ｂは、その先端（上端）が返し状突出部２２の傾斜面の上端部と同程度の高さとなる上下方向の長さ、例えば、本体部１２の上下方向の長さの半分程度の長さを有している。垂直板部１４ｂの先端部は、先端部に向かって前方に傾斜する傾斜面１５によって先細り状に形成されており、本体部１２と垂直板部１４ｂとの間に陳列棚用表示具１００がスムーズに進入できるように構成されている。
【００２０】
以上の構成を備える取付部１１は、図５及び図６に示すように、本体部１２の表面と、折り返し部１４の内面との間において、陳列棚用表示具１００の後述する表示板部１０２の縁部を狭持可能に構成されている。具体的には、取付部１１は、本体部１２と折り返し部１４との間に陳列棚用表示具１００の後述する表示板部１０２が挿入された際に、折り返し部１４の垂直板部１４ｂの内面が表示板部１０２の表面と面で接触し、かつ、本体部１２の返し状突出部２２の先端縁及び突出部２４の先端縁がそれぞれ表示板部１０２の裏面と接触することにより、表示板部１０２の縁部を狭持するように構成されている。本実施形態に係る表示板角度変更具１０は、このように、折り返し部１４による面接触と、本体部１２による上下２点（２線）での接触により陳列棚用表示具１００の後述する表示板部１０２を狭持するように構成されているため、陳列棚用表示具１００に安定して取り付けることができる。
【００２１】
支持部１６は、本体部１２の裏面から後方（裏面方向）に向けて突出して設けられている。具体的には、支持部１６は、図１及び図２に示すように、本体部１２の横方向の長さと同じ横方向の長さを有する矩形板状に形成されており、水平かつ本体部１２の裏面に対して垂直となるように、本体部１２の上端部近傍の裏面上に立設されている。支持部１６の先端（後端）縁部の横方向の中央部には、凹部１６ａが形成されている。この支持部１６は、陳列棚用表示具１００の厚さ方向（前後方向）の長さよりも長い前後方向（突出方向）の長さを有している。具体的には、支持部１６は、商品陳列棚２の前縁部分に装着された陳列棚用表示具１００に取り付けられた際に、陳列棚用表示具１００の後述する表示板部１０２の下部を商品陳列棚２の前縁部分に対して離間させることが可能な突出方向（前後方向）の長さを有している（図６参照）。なお、支持部１６の突出方向（前後方向）の長さは、陳列棚用表示具１００が装着される商品陳列棚２の棚板２ａの高さや、陳列棚用表示具１００の所望する表示角度等に応じて、適宜設定することができる。
【００２２】
補強リブ部１７は、図１及び図２に示すように、三角板状に形成されており、一辺が本体部１２の裏面上に接合され、かつ、他の一辺が支持部１６の底面上に接合されるように、本体部１２の裏面及び支持部１６の底面上に垂直に立設されている。この補強リブ部１７は、本体部１２及び支持部１６の横方向に間隔をおいて、一対設けられている（図１及び図２中、奥側の補強リブ部は不図示）。
【００２３】
陳列棚用表示具１００は、図４〜図６に示すように、商品情報を表示可能な表示板部１０２と、商品陳列棚２の前縁部分に装着可能な装着部１０４と、表示板部１０２の上端部と装着部１０４の上端部とを連結する連結部１０６を備えている。
【００２４】
表示板部１０２は、図４に示すように、横方向に長尺を成すベース板部１０２ａと、ベース板部１０２ａの下端縁部全域を上方へ折り返して成る押さえ板部１０２ｂとから構成されており、ベース板部１０２ａから押さえ板部１０２ｂに至る折返部１０３が膨張した形状に形成されている。押さえ板部１０２ｂの上端部は、ベース板部１０２ａの上端部よりやや高く形成されると共に、前方へやや屈曲して形成されている。この表示板部１０２は、少なくとも押さえ板部１０２ｂが、本実施形態では全体が、透明に形成されている。また、表示板部１０２は、例えば商品の名称や価格等の商品情報が記載された商品表示カード（表示媒体）をベース板部１０２ａと押さえ板部１０２ｂとの間において挟み込むことにより、商品表示カードを収容できるように構成されている。
【００２５】
装着部１０４は、図４〜図６に示すように、下方に向けて開口する断面略コ字状に形成されており、商品陳列棚２の後述する立設部材３を狭持可能に構成されている。なお、装着部１０４は、商品陳列棚２の前縁部分（棚板２ａの前端部）の形状や構成に応じて、適宜形状及び構成を変更することができる。
【００２６】
連結部１０６は、弾性変形可能な合成樹脂材料から形成されており、表示板部１０２の上端縁部全域から装着部１０４の上端縁部全域に亘って設けられている。陳列棚用表示具１００は、このように、弾性変形可能な連結部１０６により表示板部１０２の上端部と装着部１０４の上端部とが連結されていることにより、表示板部１０２を上下方向へ持ち上げたり降ろしたりすること、すなわち、連結部１０６を中心として、表示板部１０２が装着部１０４に対して離間又は接近する方向に回動可能に構成されている（図６参照）。
【００２７】
次に、本実施形態に係る表示板角度変更具付き陳列棚用表示具１が用いられる商品陳列棚２の一例について、説明する。商品陳列棚２は、図６及び図７に示すように、上下方向に間隔をおいて設置された複数の棚板２ａを備えている。各棚板２ａは、棚板２ａの前端近傍に立設して設けられた立設部材３と、棚板２の前端に沿って固設されたフロントレール４とを有している。立設部材３は、図示の例では棚板２ａ上に固定された転び止め部材であるが、例えば、冷ケース棚板に設けられた前面仕切り部材や、ワイヤーで形成されたストッパ等であっても良い。フロントレール４は、その上端縁部と下端縁部に長手方向に沿って折曲された折返片４ａ，４ｂを有しており、これらの上部折返片４ａと下部折返片４ｂとが互いに向き合い、かつ、上部折返片４ａから下部折返片４ｂに亘って湾曲した形状に形成されている。このフロントレール４は、上部折返片４ａと下部折返片４ｂとの間に小型の商品表示カードを係止可能に構成されている。
【００２８】
以上のように構成された表示板角度変更具１０によれば、図６及び図７に示すように、陳列棚用表示具１００と、陳列棚用表示具１００が前縁部分に装着された商品陳列棚２との間に取り付けられることにより、表示板部１０２の傾斜角度を変更することが可能である。すなわち、本実施形態に係る表示板角度変更具１０は、本体部１２の表面と折り返し部１４の内面との間において表示板部１０２の下端縁部を狭持し、かつ、本体部１２から後方に延出した支持部１６の先端部が商品陳列棚２のフロントレール４と当接するように構成されている。このため、表示板角度変更具１０によれば、表示板部１０２を、その下部が商品陳列棚２の前縁部分に対して離間する方向に回動させ、表示板部１０２の表示角度を水平に近づけることができる。これにより、商品陳列棚２の低い位置に陳列棚用表示具１００が取り付けられる場合であっても、表示内容を見え易くさせ、視認性の低下を防止することができる。
【００２９】
また、本実施形態に係る表示板角度変更具１０は、商店等において広く用いられている一般的な陳列棚用表示具に取り付けるだけで表示板部の表示角度を容易に変更することができる。このため、本実施形態に係る表示板角度変更具１０によれば、現在使用している陳列棚用表示具を援用することができ、切り換えコストを抑えることができると共に、表示角度を変更するための構造を陳列棚用表示具自体に一体的に設ける構成と比較して、製造コストを抑えることができる。
【００３０】
本考案に係る表示板角度変更具及び表示板角度変更具付き陳列棚用表示具は、上述した実施形態に限定されるものではなく、本考案の技術思想を逸脱しない範囲内において種々の改変を行なうことができる。
【００３１】
例えば、本実施形態に係る表示板角度変更具１０は、取付部１１と、支持部１６と、一対の補強リブ部１７とを備えるものとして説明したが、これに限定されず、陳列棚用表示具の表示板部に取付可能に構成された取付部と、この表示板部の下部を商品陳列棚の前縁部分に対して離間させることが可能な前後方向の長さを有する支持部とを備えるものであれば、いかなる構成を備えるものであっても良い。
【００３２】
また、本実施形態に係る表示板角度変更具１０は、本体部１２と折り返し部１４との間において表示板部１０２を狭持することにより陳列棚用表示具１００に取り付けられるものであるとして説明したが、これに限定されず、例えば粘着部材、面ファスナ、吸盤及び磁石等の種々の取付手段により陳列棚用表示具１００に取り付けられるように構成しても良い。
【００３３】
さらに、本実施形態に係る表示板角度変更具１０において、支持部１６は、矩形板状に形成されるとして説明したが、これに限定されず、表示板角度変更具１０に前後方向の厚みを付与するものであれば、棒状及びブロック状等の種々の形状及び構成を採用することができる。また、支持部１６は、前後方向に伸縮可能に構成され、適宜前後方向の長さが変更可能な構成とすることもできる。このようにアジャスタ機能を支持部に付加することにより、陳列棚用表示具１００が装着される商品陳列棚２の棚板２ａの高さ等に応じて支持部の前後方向の長さを調整するだけで、表示板部１０２の表示角度を所望の角度に適宜調整することが可能となる。
【００３４】
またさらに、本実施形態に係る表示板角度変更具付き陳列棚用表示具１において、陳列棚用表示具１００は、表示板部１０２、装着部１０４及び連結部１０６を備えるものとして説明したが、これに限定されず、表示板部１０２の表示角度が表示板角度変更具によって変更可能なものであれば、いかなる構成を備えるものであっても良い。
【符号の説明】
【００３５】
１  表示板角度変更具付き陳列棚用表示具、２  商品陳列棚、１０  表示板角度変更具、１１  取付部、１２  本体部、１４  折り返し部、１６  支持部、１００  陳列棚用表示具、１０２  表示板部、１０４  装着部、１０６  連結部
【図１】
0003182241.tif 000003
【図２】
0003182241.tif 000004
【図３】
0003182241.tif 000005
【図４】
0003182241.tif 000006
【図５】
0003182241.tif 000007
【図６】
0003182241.tif 000008
【図７】
0003182241.tif 000009